(57)【要約】    【課題】      データを受信処理できる受信処理手段の数以上の数の同一の受信データを受信処理することにより、受信性能を向上させること。    【解決手段】  制御部１３１は、ＣＲＣ確認部１１３が、第１受信処理部１１２の処理したデータが正常に処理されなかったことを検出した時、タイミング検出部１３２から入力するタイミング情報に基づき、正常に処理できなかった第１のデータと同一で、且つ第１のデータより後に受信される第２のデータの受信期間を見つけ出し、第１のデータより後に受信される第２のデータを受信処理するように第２受信処理部１２２を制御する。データ選択部１３３は、格納部１１４に格納されているデータ及び格納部１２４に格納されているデータをそれぞれ選択し、データを順序良く並べる。  【選択図】      図１
2006229535.tif 000002
【特許請求の範囲】
【請求項１】
複数の基地局から送信された同一のデータを異なるタイミングにて受信する受信手段と、
前記受信手段にて受信したデータの誤りを検出する誤り検出手段と、
前記誤り検出手段にて誤りが検出された場合には、誤りが検出されたデータの次に受信した前記同一のデータの受信処理を行うように制御する制御手段と、
前記制御手段にて複数の前記同一のデータの受信処理を行うように制御された場合には、受信した複数の前記同一のデータを合成する選択手段と、
を具備することを特徴とする移動体通信端末装置。
【請求項２】
前記制御手段は、前記受信手段にて受信した前記同一のデータの受信電力に基づいて、誤りが検出されたデータの次に受信した前記同一のデータの受信処理を行うように制御することを特徴とする請求項１記載の移動体通信端末装置。
【請求項３】
前記制御手段は、受信タイミングが遅い前記同一のデータほど受信電力が小さくなる場合に、誤りが検出されたデータの次に受信した前記同一のデータの受信処理を行うように制御することを特徴とする請求項２記載の移動体通信端末装置。
【請求項４】
複数の基地局から送信された同一のデータを異なるタイミングにて受信するステップと、
受信したデータの誤りを検出するステップと、
誤りが検出された場合には、誤りが検出されたデータの次に受信した前記同一のデータの受信処理を行うように制御するステップと、
複数の前記同一のデータの受信処理を行うように制御された場合には、受信した複数の前記同一のデータを合成するステップと、
を具備することを特徴とするデータ受信方法。
【発明の詳細な説明】
【技術分野】
【０００１】
本発明は、移動体通信端末装置及びデータ受信方法に関し、特に異なるタイミングにて同一のデータを受信する移動体通信端末装置及びデータ受信方法に関する。
【背景技術】
【０００２】
従来の移動体通信端末装置は、データの所定部分だけを受信し、この受信したデータに基づいて、続くデータが再構成可能かどうかを検出し、再構成が可能であると判断した場合には、受信済みのデータに基づいて再構成し、この移動体通信端末装置の受信手段の少なくとも一部を電力節約モードに切り替えるものが知られている（例えば、特許文献１）。また、再構成が不可能であると判断した場合には、さらにデータの異なる所定部分を受信するように構成している。
【特許文献１】特開平８−３７４９１号公報
【発明の開示】
【発明が解決しようとする課題】
【０００３】
しかしながら、従来の装置においては、再構成する際に受信するデータは、データの異なる所定部分であり、同一のデータについては、受信処理手段の数より多い数の受信データを受信処理することはできないという問題がある。
【０００４】
本発明は、かかる点に鑑みてなされたものであり、データを受信処理できる受信処理手段の数以上の数の同一の受信データを受信処理することにより、受信性能を向上させることができる移動体通信端末装置及びデータ受信方法を提供することを目的とする。
【課題を解決するための手段】
【０００５】
本発明の移動体通信端末装置は、複数の基地局から送信された同一のデータを異なるタイミングにて受信する受信手段と、前記受信手段にて受信したデータの誤りを検出する誤り検出手段と、前記誤り検出手段にて誤りが検出された場合には、誤りが検出されたデータの次に受信した前記同一のデータの受信処理を行うように制御する制御手段と、前記制御手段にて複数の前記同一のデータの受信処理を行うように制御された場合には、受信した複数の前記同一のデータを合成する選択手段と、を具備する構成を採る。
【０００６】
本発明のデータ受信方法は、複数の基地局から送信された同一のデータを異なるタイミングにて受信するステップと、受信したデータの誤りを検出するステップと、誤りが検出された場合には、誤りが検出されたデータの次に受信した前記同一のデータの受信処理を行うように制御するステップと、複数の前記同一のデータの受信処理を行うように制御された場合には、受信した複数の前記同一のデータを合成するステップと、を具備するようにした。
【発明の効果】
【０００７】
本発明によれば、データを受信処理できる受信処理手段の数以上の数の同一の受信データを受信処理することにより、受信性能を向上させることができる。
【発明を実施するための最良の形態】
【０００８】
以下に、本発明の実施の形態について、図面を参照して詳細に説明する。
【０００９】
（実施の形態１）
図１は、本発明の実施の形態１に係る移動体通信端末装置１００の構成を示すブロック図である。
【００１０】
図１において、１１１は、第１受信系統であり、第１受信系統１１１は、先行する第１のデータを受信処理するデコーダを含む第１受信処理部１１２（受信手段）と、第１受信処理部１１２が処理したデータが正常に受信処理できたか否かを判定するために、受信データのＣＲＣを確認するＣＲＣ確認部１１３（誤り検出手段）と、第１受信系統１１１で処理されたデータを一時的に格納する格納部１１４とからなる。
【００１１】
１２１は、第２受信系統であり、第２受信系統１２１は、前記第１のデータに続いて受信する前記第１のデータと同一の第２のデータを少なくとも受信処理するデコーダを含む第２受信処理部１２２（受信手段）と、第２受信処理部１２２が処理したデータが正常に受信処理できたか否かを判定するために、受信データのＣＲＣを確認するＣＲＣ確認部１２３（誤り検出手段）と、第２受信系統１２１で処理されたデータを一時的に格納する格納部１２４とからなる。
【００１２】
又、１３１は、第１のデータを受信するように第１受信処理部１１２を制御するとともに、ＣＲＣ確認部１１３が、第１受信処理部１１２の処理したデータが正常に処理されなかったことを検出した時、タイミング検出部１３２から入力するタイミング情報に基づき、正常に処理できなかった前記第１のデータと同一で、且つ前記第１のデータより後に受信される第２のデータの受信期間を見つけ出し、前記第１のデータより後に受信される第２のデータを受信処理するように第２受信処理部１２２を制御する制御部である。１３２は、第１受信処理部１１２及び第２受信処理部１２２に入力する制御データに含まれる各データのタイミングを通知する情報であるタイミング情報を抽出して記憶するタイミング検出部である。そして、ＣＲＣ確認部１２３が、第２受信処理部１２２の処理したデータが正常に処理されなかったことを検出した時、制御部１３１は、正常に処理できなかった前記第２のデータと同一で、且つ前記第２のデータより後に受信される第３のデータを更に受信処理するように第２受信処理部１２２を制御するものである。
【００１３】
又、１３３は、第１受信系統１１１にて受信処理されて格納部１１４に格納されているデータ、及び第２受信系統１２１にて受信処理されて格納部１２４に格納されているデータをそれぞれ選択し、データを順序良く並べるデータ選択部（選択手段）である。
【００１４】
なお、ＣＲＣ確認部１２３でデータが正常に受信できなかったことを検出した時、制御部１３１は、更に異なる時間で同じデータが送信されている期間を見つけ、その期間に第２受信処理部１２２が他のデータの受信処理をしていなければ、第２のデータと同一の第３のデータを受信するように第２受信処理部１２２に指示するが、このような制御は、時間帯の異なる同じデータを受信することができる限り、何度繰り返しても良い。
【００１５】
図２は、移動体通信端末装置１００における各データのタイミングを示す図である。
【００１６】
図２において、２０１、２０２、２０３は、異なる基地局からそれぞれタイミング差をもって送信されている同一のデータであり、２０４が、データ選択部１３３の出力データである。受信タイミングは、データ２０１、データ２０２、データ２０３の順に遅くなる。また、受信感度は、データ２０１、データ２０２、データ２０３の順に悪くなる。なお、図２において、左から右へ時間が進行しているものとする。
【００１７】
本発明の移動体通信端末装置１００では、先行するデータから順次受信処理を行い、例えば、受信データのＣＲＣを確認し、正常に受信できたことが確認出来た場合に、遅れて受信できるデータ２０２やデータ２０３を受信せずに、第２受信系統１２１の受信動作を停止させる。
【００１８】
図２においては、（Ｘ−５）から（Ｘ−２）までのデータと、（Ｘ）及び（Ｘ＋２）のデータとは、ＣＲＣが正常（図２では、ＣＲＣ  ＯＫと表示する）であるため、正常に受信できたと判断し、データ２０２やデータ２０３の受信を行わない。先行する受信データ２０１のＣＲＣが異常（図２では、ＣＲＣ  ＮＧと表示する）である等、正常に受信できなかった場合は、データ２０２を受信する。この場合、第１受信系統１１１でデータ２０１を受信し続けておき、第２受信系統１２１でデータ２０２を受信する。
【００１９】
具体的には、データ２０１の受信できなかったデータ（Ｘ−１）と（Ｘ＋１）とのデータを、第２受信系統１２１を用いて受信する。データ２０２が正常に受信できた場合は、データ２０１で受信できなかったデータを補完する。図２では、データ２０２では、（Ｘ＋１）のデータを正常に受信できたため、データ２０１を補完している。
【００２０】
更に、データ２０２で正常に受信できておらず、かつ、受信できなかったデータが、データ２０３で送信されている期間にデータ２０２の他のデータを受信処理する必要がない場合には、第２受信系統１２１でデータ２０３を受信する。
【００２１】
図２では、データ２０１、データ２０２で共にデータ（Ｘ−１）を受信できていないため、データ２０３を受信する。このとき、（Ｘ）のデータは、データ２０１で正常に受信しているため、第２受信処理部１２２は、データ２０２のデータ（Ｘ）を受信処理する必要がなく、第２受信処理部１２２は、データ２０３の（Ｘ−１）のデータを受信処理することができる。データ２０３で正常に受信できた場合は、受信したデータでデータ２０１を補完する。図２では、データ２０３では、データ（Ｘ−１）を正常に受信できたため、データ２０１を補完している。
【００２２】
図３は、本発明の実施の形態１の移動体通信端末装置１００の制御部１３１の動作を示すフロー図である。
【００２３】
先ず、第１受信系統１１１の第１受信処理部１１２で受信処理したデータのＣＲＣが正常か否かをＣＲＣ確認部１１３で確認し（ＳＴ３０１）、ＣＲＣが正常であれば、制御部１３１は、全データの受信が完了したかを判定し（ＳＴ３０２）、完了していれば処理を終了し、完了していなければ、次の処理のために、ＳＴ３０１に戻る。
【００２４】
一方、図２のデータ２０１のデータ（Ｘ＋１）のように、ＳＴ３０１で正常にデータが受信できていない場合は（ＳＴ３０１）、制御部１３１は、データ（Ｘ＋１）と同じデータの受信を第２受信系統１２１の第２受信処理部１２２に指示する（ＳＴ３０３）。次に、第２受信処理部１２２で正常にデータを受信できたか否かをＣＲＣ確認部１２３で判定し（ＳＴ３０４）、正常に受信できていたら、処理を終了する（ＳＴ３０２）。
【００２５】
又、図２のデータ２０１のデータ（Ｘ−１）のように、第２受信処理部１２２でも正常にデータを受信できていなかった場合（ＳＴ３０４）、第２受信処理部１２２が、ＳＴ３０４で正常に受信できなかったデータ（Ｘ−１）の再度の受信処理が可能であるか否かを確認し（ＳＴ３０５）、可能であれば、制御部１３１は、第２受信処理部１２２に、データ２０３の（Ｘ−１）のデータを受信するように指示を出す（ＳＴ３０６）。そして、データ（Ｘ−１）が正常に受信できているかを確認し（ＳＴ３０７）、正常に受信できていれば、処理を終了する（ＳＴ３０２）。又、受信できていなければ、受信できなかったことを上位のアプリケーションに通知し（ＳＴ３０８）、処理を終了する（ＳＴ３０２）。
【００２６】
このように、本実施の形態１によれば、データを受信処理できる受信処理手段の数以上の数の同一の受信データを受信処理することにより、同じデータを受信する機会を増やすように構成したことで、特に、セル端など複数のセルから同じデータを受信する状況での受信性能を向上させることができる。
【００２７】
（実施の形態２）
図４は、本発明の実施の形態２に係る移動体通信端末装置４００の構成を示すブロック図である。図４において、図２と同一部分には同一の符号を付して、その説明を省略する。
【００２８】
実施の形態２の移動体通信端末装置４００は、実施の形態１の移動体通信端末装置１００の構成に、データ２０１の受信電力が最も高く、データ２０２の受信電力がデータ２０１の受信電力より低く、データ２０３の受信電力が最も低いか否かを判定すると共に、同一のデータをデータ２０１、２０２、２０３の順に受信できるか否かチェックする判断部４０１を設けたものである。
【００２９】
そして、上記条件が満たされている時、図３に示した動作と同じ動作を行うように構成している。
【００３０】
図５は、本発明の実施の形態２の移動体通信端末装置４００の動作を説明するフロー図である。図５においても、図３と同一部分には同一の符号を付して、その説明を省略する。
【００３１】
図５では、ＳＴ５０１で、判断部４０１は、データ２０１の受信電力が最も高く、データ２０２の受信電力がデータ２０１の受信電力より低く、データ２０３の受信電力が最も低いか否かを判定すると共に、データ２０１、２０２、２０３の順に受信できるか否かチェックする（ＳＴ５０１）。この条件を満たしていない場合（ＳＴ５０１）、制御部１３１の制御に基づいて、データ２０１、データ２０２をそれぞれ第１受信系統１１１、第２受信系統１２１で受信した後（ＳＴ５０２）、全データの受信が完了したかチェックし（ＳＴ５０３）、全データの受信が完了していなければ、再び、受信を繰り返す。又、ＳＴ５０１で条件を満足している場合は、本発明の実施の形態１と同様の動作を行う。
【００３２】
このように、本実施の形態２によれば、上記実施の形態１の効果に加えて、受信状態の良いデータから優先的にデータ受信をすることができ、第２受信系統を停止する機会を増やすことができ、その結果、移動体通信端末装置の消費電力を抑えることができる。
【００３３】
なお、上記実施の形態１及び実施の形態２において、データが正常に受信されたかどうかの確認には、受信データのＣＲＣを確認するように構成したが、これに限らず、データが正常に受信されたか否かを判断することができれば、どのような手段を用いてもよい。また、上記実施の形態１及び実施の形態２において、データ２０１、データ２０２、データ２０３のタイミング差をタイミング情報から取得するとして説明したが、これに限らず、例えば、各データを一旦受信した後にタイミングを検出する等の方法でタイミングを検出するように構成することも可能である。また、上記実施の形態１及び実施の形態２において、二つの受信系統を設けるように構成したが、これに限らず、三つ以上の受信系統を設けるように構成してもよい。
【産業上の利用可能性】
【００３４】
本発明にかかる移動体通信端末装置及びデータ受信方法は、例えばセル端にて複数のセルから同じデータを受信する場合に用いるに好適である。
【図面の簡単な説明】
【００３５】
【図１】本発明の実施の形態１に係る移動体通信端末装置の構成を示すブロック図
【図２】本発明の実施の形態１に係る移動体通信端末装置における各データのタイミングを示す図
【図３】本発明の実施の形態１に係る移動体通信端末装置の制御部の動作を示すフロー図
【図４】本発明の実施の形態２に係る移動体通信端末装置の構成を示すブロック図
【図５】本発明の実施の形態２に係る移動体通信端末装置の動作を示すフロー図
【符号の説明】
【００３６】
１００、４００  移動体通信端末装置
１１１  第１受信系統
１１２  第１受信処理部
１１３、１２３  ＣＲＣ確認部
１２１  第２受信系統
１２２  第２受信処理部
１３２  タイミング検出部
１３３  データ選択部
４０１  判断部
【図１】
2006229535.tif 000003
【図２】
2006229535.tif 000004
【図３】
2006229535.tif 000005
【図４】
2006229535.tif 000006
【図５】
2006229535.tif 000007